(57)【要約】      （修正有）【課題】鍵盤部を除く楽器全体の空間を有効に活用することにより、楽器全体の小型化を図っても、音響空間を十分に確保できる電子楽器を提供する。【解決手段】鍵盤シャーシ３上に鍵盤４が設けられた鍵盤部１と、鍵盤シャーシ３に取り付けられて鍵盤シャーシ１の後端部側から鍵盤４の後部上面４ｂ側を覆う上部パネルケース２と、この上部パネルケース２の内側における鍵盤４の後方に位置する箇所に配置されたスピーカと、仕切部７の一部である仕切部材３１が鍵盤４の後部における後端面から後部上面４ｂに沿って配置されて上部パネルケース２内における鍵盤部１の後部側に音響空間Ｓを形成する仕切部７とを備えた。従って、上部パネルケース２と仕切部７とによって鍵盤部１の後部側に音響空間Ｓを形成した際、仕切部材３１によって鍵盤４の後部上面４ｂに対応する上方にも音響空間Ｓを広げることができる。【選択図】図３
2008304721.tif 000002
【特許請求の範囲】
【請求項１】
鍵盤シャーシ上に鍵盤が設けられた鍵盤部と、
前記鍵盤シャーシに取り付けられて前記鍵盤シャーシの後端部側から前記鍵盤の後部上面側を覆う上部パネルケースと、
この上部パネルケースの内側における前記鍵盤の後方に位置する箇所に配置されたスピーカと、
少なくとも一部が前記鍵盤の後部における後端面から前記後部上面に沿って配置されて前記上部パネルケース内における前記鍵盤部の後部側に音響空間を形成する仕切部と、
を備えたことを特徴とする電子楽器。
【請求項２】
鍵盤シャーシ上に鍵盤が設けられた鍵盤部と、
前記鍵盤シャーシに取り付けられて前記鍵盤シャーシの後端部側から前記鍵盤の後部上面側を覆う上部パネルケースと、
この上部パネルケースの内側における前記鍵盤の後方に位置する箇所に配置されたスピーカと、
前記上部パネルケースの内側に前記スピーカと並んで配置されて一部が前記鍵盤の前記後部上面の上方に位置する回路基板と、
少なくとも前記回路基板に対応する部分が前記鍵盤の後部における後端面から前記後部上面に沿って配置されて前記上部パネルケース内における前記鍵盤部の後部側に前記スピーカおよび前記回路基板を収容する音響空間を形成する仕切部と、
を備えたことを特徴とする電子楽器。
【請求項３】
前記仕切部は、前記上部パネルケースに一体に形成された仕切壁部と、前記鍵盤の後部における後端面から前記後部上面に沿って配置された状態で前記上部パネルケースに取り付けられる仕切部材とを備え、前記仕切壁部と前記仕切部材とが前記鍵盤部のほぼ全長に亘り連続して設けられていることを特徴とする請求項１または２に記載の電子楽器。
【請求項４】
前記仕切部は、少なくとも一部が前記鍵盤の後部における後端面から前記後部上面に沿って配置された状態で、前記鍵盤部のほぼ全長に亘り連続して前記上部パネルケースに取り付けられる仕切部材であることを特徴とする請求項１または２に記載の電子楽器。
【請求項５】
前記仕切部材は、複数に分割形成されて前記上部パネルケースにそれぞれ連続した状態で取り付けられていることを特徴とする請求項３または４に記載の電子楽器。
【請求項６】
前記上部パネルケースには、付属部品が設置される部品設置部が設けられており、この部品設置部の周囲には、枠状リブが設けられていることを特徴とする請求項１〜５のいずれかに記載の電子楽器。
【請求項７】
前記音響空間からの空気漏れを防ぐためのパッキンを備えていることを特徴とする請求項１〜６のいずれかに記載の電子楽器。
【発明の詳細な説明】
【技術分野】
【０００１】
この発明は、電子鍵盤楽器などの電子楽器に関し、さらに詳しくはスピーカの音響空間を有する電子楽器に関する。
【背景技術】
【０００２】
従来、電子鍵盤楽器においては、特許文献１に記載されているように、上ケースと下ケースとからなる鍵盤ケース内に鍵盤を配置すると共に、上ケース内における鍵盤の後方に位置する箇所にスピーカを取り付け、このスピーカと鍵盤との間に仕切板をほぼ垂直に設け、この仕切板、上ケース、および下ケースによってスピーカの音響空間を形成した構成のものがある。
【特許文献１】特開平０８−３１４４５９号
【発明の開示】
【発明が解決しようとする課題】
【０００３】
しかしながら、このような従来の電子鍵盤楽器では、スピーカと鍵盤との間に仕切板を単に垂直に設けただけの構造であるから、楽器全体の小型化に伴ってスピーカの音響空間が狭くなり、音響空間を十分に確保することができないという問題がある。
また、このような電子鍵盤楽器では、楽器全体の小型化に伴ってスピーカの音響空間が狭くなるばかりか、回路基板やスイッチ部、外部接続部などの付属部品のうち、特に広い設置スペースを必要とする回路基板の設置領域も狭くなり、このため回路基板に電子部品を高密度で実装する両面配線基板や多層配線基板を用いなければならず、部品コストが高くなるという問題もある。
【０００４】
この発明が解決しようとする課題は、鍵盤部を除く楽器全体の空間を有効に活用することにより、楽器全体の小型化を図っても、音響空間を十分に確保できる電子楽器を提供することである。
【課題を解決するための手段】
【０００５】
この発明は、上記課題を解決するために、次のような構成要素を備えている。
請求項１に記載の発明は、鍵盤シャーシ上に鍵盤が設けられた鍵盤部と、前記鍵盤シャーシに取り付けられて前記鍵盤シャーシの後端部側から前記鍵盤の後部上面側を覆う上部パネルケースと、この上部パネルケースの内側における前記鍵盤の後方に位置する箇所に配置されたスピーカと、少なくとも一部が前記鍵盤の後部における後端面から前記後部上面に沿って配置されて前記上部パネルケース内における前記鍵盤部の後部側に音響空間を形成する仕切部と、を備えたことを特徴とする電子楽器である。
【０００６】
請求項２に記載の発明は、鍵盤シャーシ上に鍵盤が設けられた鍵盤部と、前記鍵盤シャーシに取り付けられて前記鍵盤シャーシの後端部側から前記鍵盤の後部上面側を覆う上部パネルケースと、この上部パネルケースの内側における前記鍵盤の後方に位置する箇所に配置されたスピーカと、前記上部パネルケースの内側に前記スピーカと並んで配置されて一部が前記鍵盤の前記後部上面の上方に位置する回路基板と、少なくとも前記回路基板に対応する部分が前記鍵盤の後部における後端面から前記後部上面に沿って配置されて前記上部パネルケース内における前記鍵盤部の後部側に前記スピーカおよび前記回路基板を収容する音響空間を形成する仕切部と、を備えたことを特徴とする電子楽器である。
【０００７】
請求項３に記載の発明は、前記仕切部が、前記上部パネルケースに一体に形成された仕切壁部と、前記鍵盤の後部における後端面から前記後部上面に沿って配置された状態で前記上部パネルケースに取り付けられる仕切部材とを備え、前記仕切壁部と前記仕切部材とが前記鍵盤部のほぼ全長に亘り連続して設けられていることを特徴とする請求項１または２に記載の電子楽器である。
【０００８】
請求項４に記載の発明は、前記仕切部が、少なくとも一部を前記鍵盤の後部における後端面から前記後部上面に沿って配置させた状態で、前記鍵盤部のほぼ全長に亘り連続して前記上部パネルケースに取り付けられる仕切部材であることを特徴とする請求項１または２に記載の電子楽器である。
【０００９】
請求項５に記載の発明は、前記仕切部材が、複数に分割形成されて前記上部パネルケースにそれぞれ連続した状態で取り付けられていることを特徴とする請求項３または４に記載の電子楽器である。
【００１０】
請求項６に記載の発明は、前記上部パネルケースに、付属部品が設置される部品設置部が設けられており、この部品設置部の周囲には、枠状リブが設けられていることを特徴とする請求項１〜５のいずれかに記載の電子楽器である。
【００１１】
請求項７に記載の発明は、前記音響空間からの空気漏れを防ぐためのパッキンを備えていることを特徴とする請求項１〜６のいずれかに記載の電子楽器である。
【発明の効果】
【００１２】
この発明によれば、鍵盤シャーシの後端部から鍵盤の後部上面側を覆う上部パネルケースと、少なくとも一部が鍵盤の後部における後端面から後部上面に沿って配置される仕切部とによって、鍵盤の後部上面に対応する上方にも音響空間を広げることができる。このため、鍵盤部を除く楽器全体の空間を音響空間として有効に活用することができ、これにより楽器全体の小型化を図っても、音響空間を十分に確保することができる。
【発明を実施するための最良の形態】
【００１３】
以下、図１〜図２０を参照して、この発明を適用した電子鍵盤楽器の一実施形態について説明する。
この電子鍵盤楽器は、図１〜図３に示すように、鍵盤部１と、この鍵盤部１の後部側を覆う上部パネルケース２とを備えている。鍵盤部１は、図２および図３に示すように、下部ケースを兼ねる鍵盤シャーシ３上に鍵盤４を設けた構成になっている。この鍵盤４は、図１〜図３に示すように、白鍵と黒鍵とからなる多数の鍵４ａと、この多数の鍵盤４ａにそれぞれアクション荷重を付与するハンマー部材５とを備えている。
【００１４】
この場合、鍵４ａは、図２および図３に示すように、その後端部（図２では左端部）が鍵盤シャーシ３の後部上面（図２にでは左側上面）に設けられた鍵支持部３ａに軸部６ａによって上下方向に回転可能に取り付けられている。また、ハンマー部材５は、鍵盤シャーシ３の中間部に設けられたハンマー支持部３ｂに軸部６ｂによって上下方向に回転可能に取り付けられており、このハンマー部材５の後部（図２では左側部）には、錘部５ａが設けられている。
【００１５】
これにより、ハンマー部材５は、図２および図３に示すように、通常は錘部５ａの重量によってハンマー部材５が軸部６ｂを中心に図２において反時計回りに回転することにより、ハンマー部材５の前端部（図２では右端部）が鍵４ａを押し上げ、この状態で鍵４ａが押鍵されると、ハンマー部材５の前端部が錘部５ａの重量に抗して押し下げられ、これによりハンマー部材５が図２において時計回りに回転して、鍵４ａにアクション荷重を付与するように構成されている。
【００１６】
一方、上部パネルケース２は、図１〜図３に示すように、鍵盤シャーシ３の後端部（図２では左端部）に取り付けられて鍵盤４の後方（図２では左側）から鍵盤４の後部上面４ｂ側（図２では左側上面、つまり鍵４ａの後端部から黒鍵の後部側の突出部４ｃに接近する位置までの上面部分側）を覆うように形成されている。この上部パネルケース２には、図２、図３および図５に示すように、鍵盤４の後部側を仕切って上部パネルケース２内に後述する音響空間Ｓを形成するための仕切部７が設けられている。
【００１７】
また、この上部パネルケース２の上面における両側部には、図１および図２に示すように、スピーカ放音孔８ａが設けられていると共に、このスピーカ放音孔８ａを覆うカバー部材８が設けられている。また、この上部パネルケース２の上面における中間部分には、図１および図３に示すように、譜面立てを取り付けるための譜面立て取付部９が設けられている。さらに、この上部パネルケース２の内面には、図１に示すように、左右両側のスピーカ１０およびこれに対応する２つのスピーカポート１１が設けられているほか、付属部品であるスイッチ部１２や、図９に示す外部接続端子であるジャック端子１３やコネクタ端子１４が設けられている。
【００１８】
すなわち、上部パネルケース２は、図１〜図３に示すように、鍵盤シャーシ３の後端部から鍵盤４よりも上方に延びる背面部２ａと、この背面部２ａの上端部から鍵盤４の後部上面４ｂ（つまり、鍵４ａの後端部から黒鍵の後部側の突出部４ｃに接近する位置までの上面部分）に対応する箇所の上方に延びる天板部２ｂと、この天板部２ｂの前端部から鍵盤４の後部上面４ｂの前側部（つまり、黒鍵の後部側の突出部４ｃに接近する位置における鍵盤４の上面部分）に向けて延びる前面部２ｃと、これら背面部２ａ、天板部２ｂ、前面部２ｃの各両端部から鍵盤シャーシ３の後部における両側下部に延びる側面部２ｄ（図５参照）とを備え、これらが合成樹脂によって一体に形成されている。
【００１９】
この上部パネルケース２の内面、つまり天板部２ｂの下面における左右両側の後部側（図６では左右両側の手前側である下辺部側）、つまり鍵盤４の後方に位置する箇所の天板部２ｂの下面には、図４〜図６に示すように、スピーカ設置部１５がそれぞれ設けられている。この両側のスピーカ設置部１５間に位置する天板部２ｂの中間部における下面の手前側（図６では上辺部側）、つまり鍵盤４の後部上面４ｂに対応する箇所の天板部２ｂにおける左右方向の中間部分の下面には、図６に示すように、スイッチ設置部１６とボリューム設置部１７とが設けられている。
【００２０】
また、ボリューム設置部１７とこれに隣接するスピーカ設置部１５との間に位置する天板部２ｂの下面における鍵盤４の後方に位置する箇所には、図６に示すように、ジャック設置部１８とコネクタ設置部１９とが設けられている。この場合、スピーカ設置部１５を除く、スイッチ設置部１６、ボリューム設置部１７、ジャック設置部１８、コネクタ設置部１９は、図６に示すように、その周囲に枠状リブ２０ａ〜２０ｄがそれぞれ設けられ、この枠状リブ２０ａ〜２０ｄによって囲われている。
【００２１】
以下、スピーカ設置部１５、スイッチ設置部１６、ボリューム設置部１７、ジャック設置部１８、コネクタ設置部１９について順に説明する。
上部パネルケース２の左右両側に位置するスピーカ設置部１５は、図２および図４に示すように、上部パネルケース２における鍵盤４の後方に位置する箇所の天板部２ｂの上面が一段低く窪んでおり、この窪んだ部分の上面にカバー部材８が設けられている。また、このスピーカ設置部１５は、カバー部材８に対応する天板部２ｂの下面に、図２、図４〜図７に示すように、それぞれスピーカ１０がスピーカ放音孔８ａと対応して設けられていると共に、このスピーカ１０の隣にスピーカポート１１がそれぞれ設けられた構成になっている。
【００２２】
上部パネルケース２のスイッチ設置部１６は、図３および図６に示すように、上部パネルケース２における鍵盤４の後部上面４ｂに対応する箇所の天板部２ｂの下面に設けられており、このスイッチ設置部１６には、図３および図９に示すように、スイッチ部１２の各種のキー釦２１が設けられている。また、このスイッチ設置部１６には、図３および図１０に示すように、スイッチ回路基板２２がスイッチ設置部１６を塞いだ状態で取り付けられている。この場合、キー釦２１は、図１５（ａ）および図１５（ｂ）に示すように、上部パネルケース２の天板部２ｂに固定される固定部２１ａと、天板部２ｂの孔から外部に突出する釦部２１ｂと、この釦部２１ｂが押された際にスイッチ回路基板２２の接点に接離可能に接触する接点部２１ｃとを備えている。
【００２３】
スイッチ回路基板２２は、図１０および図１６（ａ）に示すように、スイッチ設置部１６にほぼ対応する大きさに形成され、図３および図１０に示すように、スイッチ設置部１６の枠状リブ２０ａの下端部にビス止めにより取り付けられてスイッチ設置部１６を塞いでいる。この場合、スイッチ回路基板２２は、スイッチ設置部１６の枠状リブ２０ａの下端部に配置されたパッキン２３ａ（図１８（ａ）参照）を挟んで取り付けられることにより、スイッチ設置部１６を密閉した状態で塞ぐように構成されている。
【００２４】
また、このスイッチ回路基板２２の下側には、図３および図１１に示すように、第１パネル回路基板２４が配置されている。この第１パネル回路基板２４は、図１７（ａ）に示すように、スイッチ回路基板２２よりも面積が大きく形成され、図３および図１１に示すように、その一部が鍵盤４の後部上面４ｂに対応する箇所の上方に延びた状態で、上部パネルケース２の天板部２ｂに設けられたボス２４ａ（図１１参照）にビス止めによりスイッチ回路基板２２および天板部２ｂとほぼ平行に取り付けられている。この場合、第１パネル回路基板２４に隣接する箇所の上部パネルケース２には、図１１および図１７（ｂ）に示すように、第２パネル回路基板２５が第１パネル回路基板２４と並んだ状態で、天板部２ｂのボス２４ａにビス止めにより取り付けられている。
【００２５】
上部パネルケース２のボリューム設置部１７は、図６および図１２に示すように、上部パネルケース２における鍵盤４の後部上面４ｂに対応する箇所の天板部２ｂの下面に設けられており、このボリューム設置部１７には、スイッチ部１２の音量スイッチ２６が設けられている。また、このボリューム設置部１７には、図１０および図１２に示すように、ボリューム回路基板２７が取り付けられている。この場合、音量スイッチ２６は、図１２に示すように、上部パネルケース２の天板部２ｂから上方に突出する操作軸を有するボリューム本体２６ａと、天板部２ｂから上方に突出したボリューム本体２６ａの操作軸に取り付けられたツマミ部２６ｂとを備えている。
【００２６】
ボリューム回路基板２７は、図１０および図１６（ｂ）に示すように、ボリューム設置部１７にほぼ対応する大きさに形成され、図１０および図１２に示すように、ボリューム設置部１７の枠状リブ２０ｂの下端部にビス止めにより取り付けられてボリューム設置部１７を塞いでいる。この場合にも、ボリューム回路基板２７は、ボリューム設置部１７の枠状リブ２０ｂの下端部に配置されたパッキン２３ｂ（図１８（ｂ）参照）を挟んで取り付けられることにより、ボリューム設置部１７を密閉した状態で塞ぐように構成されている。
【００２７】
上部パネルケース２のジャック設置部１８は、図６および図１３に示すように、上部パネルケース２における鍵盤４の後方に位置する箇所の天板部２ｂの下面に設けられており、このジャック設置部１８には、図９および図１３に示すように、イヤホンジャックなどのピンジャックが接続するジャック端子１３が、上部パネルケース２の背面部２ａから露出した状態で、ジャック回路基板２８と共に取り付けられている。このジャック回路基板２８は、図１０および図１６（ｃ）に示すように、ジャック設置部１８にほぼ対応する大きさに形成されており、このジャック回路基板２８には、ジャック端子１３が取り付けられている。
【００２８】
このジャック回路基板２８は、図１０および図１３に示すように、ジャック設置部１８の枠状リブ２０ｃ内にジャック端子１３を配置させた状態で、枠状リブ２０ｃの下端部にビス止めにより取り付けられてジャック設置部１８を塞いでいる。この場合にも、ジャック回路基板２８は、図１３に示すように、ジャック設置部１８の枠状リブ２０ｃの下端部に配置されたパッキン２３ｃ（図１８（ｃ）参照）を挟んで取り付けられることにより、ジャック設置部１８を密閉した状態で塞ぐように構成されている。
【００２９】
上部パネルケース２のコネクタ設置部１９は、図６および図１４に示すように、上部パネルケース２における鍵盤４の後方に位置する箇所の天板部２ｂの下面に設けられており、このコネクタ設置部１９には、外部機器との間でデータの授受を行うミディ（ＭＩＤＩ）端子などのコネクタ端子１４が、上部パネルケース２の背面部２ａから露出した状態で、コネクタ回路基板２９と共に取り付けられている。このコネクタ回路基板２９は、図１０および図１６（ｄ）に示すように、コネクタ設置部１９にほぼ対応する大きさに形成されており、このコネクタ回路基板２９には、コネクタ端子１４が取り付けられている。
【００３０】
このコネクタ回路基板２９は、図１０および図１４に示すように、コネクタ設置部１９の枠状リブ２０ｄ内にコネクタ端子１４を配置させた状態で、枠状リブ２０ｄの下端部にビス止めにより取り付けられてコネクタ設置部１９を塞いでいる。この場合にも、コネクタ回路基板２９は、コネクタ設置部１９の枠状リブ２０ｄの下端部に配置されたパッキン２３ｄ（図１８（ｄ）参照）を挟んで取り付けられることにより、コネクタ設置部１９を密閉した状態で塞ぐように構成されている。
【００３１】
ところで、上部パネルケース２内において鍵盤４の後部側を仕切る仕切部７は、図５に示すように、上部パネルケース２内における前後の中間部分に位置し、且つ上部パネルケース２の左右両側の側面部２ｄ間に連続して設けられている。この場合、仕切部７は、図５に示すように、左右両側のスピーカ設置部１５に対応する仕切壁部３０と、この仕切壁部３０間に位置する仕切部材３１とを備えている。仕切壁部３０は、図２、図５、図６に示すように、鍵盤４の後端部に対応する箇所における上部パネルケース２の天板部２ｂの下面に、左右両側のスピーカ設置部１５における前部側の各辺部（図５では上側に位置する辺部）に沿ってそれぞれ一体に設けられている。
【００３２】
この場合、仕切壁部３０は、図５および図６に示すように、上部パネルケース２の側面部２ｄから少し離れており、この離れた仕切壁部３０の端部と背面部２ａとの間には、仕切リブ３２が側面部２ｄに沿って設けられている。これにより、スピーカ設置部１５は、その外周が仕切壁部３０、仕切リブ３２、背面部２ａによってほぼコ字状に囲われ、スピーカ設置部１５の互いに対向する側部が上部パネルケース２の中間部分に向けて開放されている。なお、上部パネルケース２の側面部２ｄと仕切リブ３２との間に位置する天板部２ｂの下面には、上部パネルケース２を鍵盤シャーシ３上にビス止めするための取付ボス３２ａが設けられている。
【００３３】
一方、仕切部材３１は、図１９および図２０に示すように、２つに分割された仕切片３３からなり、各仕切片３３は、図１９（ｂ）に示すように、断面がほぼＬ字形状の帯板状に形成されている。すなわち、この仕切片３３は、図３および図１９（ｂ）に示すように、鍵盤部１の鍵盤４の後端部に沿う立下り板部３３ａと、鍵盤４の後部上面４ｂ（つまり鍵４ａの後端部から黒鍵の後部側の突出部４ｃに接近する位置までの上面部分）に沿う水平板部３３ｂとからなっている。
【００３４】
これにより、仕切片３３は、図５に示すように、立下り板部３３ａが仕切壁部３０間に連続した状態で配置され、且つ図３に示すように、水平板部３３ｂが仕切壁部３０間に位置する上部パネルケース２の中間部分における前部側（図５では上部側）に配置され、この状態で上部パネルケース２に設けられた取付ボス３３ｃに取り付けられている。すなわち、この仕切片３３は、鍵盤４の後部上面４ｂの上方を覆う上部パネルケース２の前部側（図５では上辺部側）の内部にも空間を形成するように構成されている。
【００３５】
この場合、仕切片３３の互いに接合される端部は、図２０に示すように、段差部３３ｄに形成されており、この互いに対向して接合される段差部３３ｄ間には、図１９（ａ）に示すように、パッキン３４が設けられている。また、各仕切片３３と各仕切壁部３０とが接合される端部にも、図２０に示すように、段差部３３ｄが設けられており、この段差部３３ｄ間にも、図１９（ａ）に示すように、パッキン３４が設けられている。
【００３６】
また、仕切片３３の立下り板部３３ａの下端部と鍵盤シャーシ３の後部上面との間、および仕切片３３の水平板部３３ｂの先端部と上部パネルケース２の前面部２ｃの下端部との間にも、図３に示すように、それぞれパッキン３４が設けられている。さらに、上部パネルケース２の背面部２ａと鍵盤シャーシ３の後端部との間にも、図２および図３に示すように、パッキン３４が設けられている。
【００３７】
これにより、仕切部７は、図５に示すように、仕切部材３１の各仕切片３３の立下り板部３３ａと仕切壁部３０とが上部パネルケース２の左右両側のほぼ全長に亘って連続し、且つ仕切部材３１の各仕切片３３の水平板部３３ｂが鍵盤４の後部上面４ｂに沿って延びていることにより、両側のスピーカ１０が設置される空間と、上部パネルケース２の中間部分に位置する空間とが連続する音響空間Ｓを上部パネルケース２内に形成している。すなわち、この音響空間Ｓは、上部パネルケース２の左右両側に配置されたスピーカ１０の空間が上部パネルケース２内の中間部分に位置する空間に開放されて連続するように構成されている。
【００３８】
この場合、左右両側のスピーカ１０の空間、つまり左右両側のスピーカ設置部１５側の空間は、図２および図５に示すように、上部パネルケース２の背面部２ａ、天板部２ｂ、側面部２ｄ側の仕切リブ３２、仕切部７の仕切壁部３０、および鍵盤シャーシ３の後部によって囲われているが、図５に示すように、上部パネルケース２の中間部分側に位置する各側部、つまり上部パネルケース２の中間部分側に位置する仕切壁部３０の各端部とこれに対向する背面部２ａの各箇所との間が、上部パネルケース２内の中間部分側の空間内に開放されている。
【００３９】
また、上部パネルケース２内の中間部分に位置する空間は、図３および図５に示すように、上部パネルケース２の背面部２ａ、天板部２ｂ、前面部２ｃ、仕切部７の仕切部材３１、および鍵盤シャーシ３の後部によって、鍵盤４の後部上面４ｂの上方に食い込んだ状態で囲われているが、図５に示すように、左右両側のスピーカ１０の空間側に位置する左右両側部、つまり左右両側のスピーカ１０の空間側に位置する仕切部材３１の立下り板部３３ａの両端部とこれに対向する背面部２ａの各箇所との間が、左右両側のスピーカ１０の各空間内に開放され、これにより左右両側のスピーカ１０の各空間と連続している。
【００４０】
なお、上部パネルケース２内におけるスピーカ１０が設けられていない前面部２ｃ側の左右両側の空間、つまりスピーカ１０が仕切壁部３０で仕切られた上部パネルケース２内における前面部２ｃ側の左右両側の空間は、仕切部材３１における各仕切片３３の水平板部３３ｂの左右両側が上部パネルケース２内に開放されていることにより、上部パネルケース２の中間部分の空間と連続している。これにより、上部パネルケース２は、その内部のほぼ全域が音響空間Ｓとなるように構成されている。
【００４１】
このような電子鍵盤楽器によれば、鍵盤部１の鍵盤シャーシ３の後端部から鍵盤４の後部上面４ｂ側を覆う上部パネルケース２と、仕切部７の一部である仕切部材３１が鍵盤４の後部における後端面から後部上面４ｂに沿って配置されて上部パネルケース２の後部側に音響空間Ｓを形成する仕切部７とによって、鍵盤４の後部上面４ｂに対応する上方にも音響空間Ｓを広げることができる。このため、鍵盤部１を除く楽器全体の空間を音響空間Ｓとして有効に活用することができ、これにより楽器全体の小型化を図っても、音響空間Ｓを十分に確保することができる。
【００４２】
すなわち、仕切部７は、仕切壁部３０と仕切部材３１とを備え、仕切部材３１の各仕切片３３の立下り板部３３ａと仕切壁部３０とが上部パネルケース２の左右両側のほぼ全長に亘って連続し、且つ仕切部材３１の各仕切片３３の水平板部３３ｂが鍵盤４の後端部から後部上面４ｂに沿って配置されていることにより、上部パネルケース２内における左右両側のスピーカ１０が設置される空間と、上部パネルケース２内の中間部分に位置する空間とが連続する音響空間Ｓを形成することができると共に、上部パネルケース２内の中間部分に位置する空間を鍵盤４の後部上面４ｂに対応する上方に食い込ませることができ、これにより音響空間Ｓを広げることができる。
【００４３】
このため、鍵盤部１を除く楽器全体の空間を音響空間Ｓとして有効に活用することができるので、楽器全体の小型化を図っても、音響空間Ｓを十分に確保することができる。この場合、音響空間Ｓは、上部パネルケース２の天板部２ｂ、前面部２ｃ、仕切部７の仕切部材３１によって、鍵盤４の後部上面４ｂに対応する上方に食い込んだ状態で形成されているので、この食い込んだ領域内にスイッチ回路基板２２および第１パネル回路基板２４を上下に重ねた状態で、天板部２ｂとほぼ平行に組み込むことができ、これにより音響空間Ｓをスイッチ回路基板２２および第１、第２パネル回路基板２４、２５の設置スペースとしても有効に利用することができる。
【００４４】
このため、楽器全体をコンパクトに構成しても、第１、第２パネル回路基板２４、２５の全体の大きさを左右両側のスピーカ設置部１５間に位置する上部パネルケース２の天板部２ｂの中間部分とほぼ同じ面積の大きさに大きく形成することができる。これにより、第１、第２パネル回路基板２４、２５に対する電子部品の高密度実装が要求されないため、第１、第２パネル回路基板２４、２５として、両面配線基板や多層配線基板を用いず、片面配線基板を用いることができ、基板のコストを下げることができる。
【００４５】
また、第１、第２パネル回路基板２４、２５を上部パネルケース２内に天板部２ｂとほぼ平行に配置することができることにより、第１、第２パネル回路基板２４、２５に対して、スイッチ回路基板２２、ボリューム回路基板２７、ジャック回路基板２８、コネクタ回路基板２９を相互に接続する際、その接続配線の引き回しが容易にできる。これにより、接続配線作業が容易になり、組立て作業性が良く、生産性の向上を図り、低コスト化をも図ることができる。
【００４６】
また、音響空間Ｓは、スイッチ部１２、ジャック端子１３、コネクタ端子１４などの付属部品を設置するためのスイッチ設置部１６、ボリューム設置部１７、ジャック設置部１８、コネクタ設置部１９などの設置スペースとしても利用することができる。この場合、スイッチ設置部１６、ボリューム設置部１７、ジャック設置部１８、コネクタ設置部１９は、その周囲にそれぞれ枠状リブ２０ａ〜２０ｄが設けられ、この枠状リブ２０ａ〜２０ｄがそれぞれスイッチ回路基板２２、ボリューム回路基板２７、ジャック回路基板２８、コネクタ回路基板２９によって塞がれているので、音響空間Ｓ内にスイッチ設置部１６、ボリューム設置部１７、ジャック設置部１８、コネクタ設置部１９を設けても、音響空間Ｓを良好に密閉することができる。
【００４７】
この場合、スイッチ設置部１６、ボリューム設置部１７、ジャック設置部１８、コネクタ設置部１９の各枠状リブ２０ａ〜２０ｄと、スイッチ回路基板２２、ボリューム回路基板２７、ジャック回路基板２８、コネクタ回路基板２９との各間には、パッキン２３ａ〜２３ｄが設けられているので、スイッチ設置部１６、ボリューム設置部１７、ジャック設置部１８、コネクタ設置部１９を上部パネルケース２に設けても、パッキン２３ａ〜２３ｄによって音響空間Ｓの気密性を確保することができる。
【００４８】
また、音響空間Ｓを形成するための仕切部７は、上部パネルケース２に一体に設けられた仕切壁部３０と、上部パネルケース２と別体に形成された仕切部材３１とからなり、仕切壁部３０が左右両側のスピーカ設置部１５に対応して設けられ、仕切部材３１が左右両側の仕切壁部３０間に位置して鍵盤４の後部上面４ｂに対応する箇所の上方に食い込んで配置され、この状態で上部パネルケース２に取り付けられる構成であるから、組立て作業性が良く、生産性の向上が図れる。
【００４９】
すなわち、仕切壁部３０は、スピーカ１０の組み付け作業に影響を与えないので、上部パネルケース２に一体に形成して部品点数の削減を図り、組立て作業の簡素化を図ることができる。また、仕切部材３１は、上部パネルケース２と別体に形成されていることにより、スイッチ部１２のキー釦２１および音量スイッチ２６を上部パネルケース２に組み付け、且つスイッチ回路基板２２、ボリューム回路基板２７、ジャック端子１３、ジャック回路基板２８、コネクタ端子１４、コネクタ回路基板２９を上部パネルケース２に組み付けた後に、仕切部材３１を上部パネルケース２に取り付けることができる。
【００５０】
これにより、上部パネルケース２のユニット化を図ることができ、このため仕切部材３１が鍵盤４の後部上面４ｂに対応する箇所の上方に食い込んでいても、ユニット化された上部パネルケース２を鍵盤シャーシ３に取り付けるだけで良いので、組立て作業性が良く、生産性の向上を図ることができる。この場合、仕切部材３１は、左右２つの仕切片３３に分割されているので、１つの連続する長尺の仕切部材を製作する場合に比べて、成形用金型による生産性が良く、製造コストを大幅に削減することができる。
【００５１】
この場合にも、仕切部材３１の各仕切片３３は、互いに接合する端部に段差部３３ｄが形成され、この段差部３３ｄ間にパッキン３４が設けられており、また各仕切片３３と各仕切壁部３０とが接合される端部にも段差部３３ｄが設けられ、この段差部３３ｄ間にも、パッキン３４が設けられており、さらに仕切片３３の立下り板部３３ａの下端部と鍵盤シャーシ３の後部上面との間、および仕切部材３１、４１の水平板部３３ｂの先端部と上部パネルケース２の前面部２ｃの下部内面との間、並びに上部パネルケース２の背面部２ａと鍵盤シャーシ３の後端部との間にも、図３に示すように、パッキン３４がそれぞれ設けられているので、仕切部材３１を上部パネルケース２と別体に形成して上部パネルケース２に取り付ける構成であっても、各パッキン３４によって音響空間Ｓの気密性を確保することができる。
【００５２】
なお、上記実施形態では、仕切部７が仕切壁部３０と仕切部材３１とを備え、且つ仕切部材３１が２つの仕切片３３に分割形成されている場合について述べたが、これに限らず、例えば図２１に示す第１変形例、または図２２に示す第２変形例のように構成しても良い。すなわち、図２１（ａ）および図２１（ｂ）に示された第１変形例は、仕切部材４０を２つに分割することなく、左右の仕切壁部３０の間に連続する長さで一体に形成した構成になっている。このように構成しても、上記実施形態とほぼ同様の作用効果がある。
【００５３】
また、図２２（ａ）および図２２（ｂ）に示された第２変形例の仕切部は、上部パネルケース２に仕切壁部３０を一体に形成せず、上部パネルケース２の左右の全長とほぼ同じ長さで仕切部材４１を別体に形成し、この仕切部材４１を上部パネルケース２に取り付ける構成になっている。この場合、仕切部材４１は、図２２（ａ）に示すように、上記実施形態の仕切部材３１と同じ形状に形成しても良く、また、図２２（ｂ）に示すように、両側のみを上記実施形態の仕切壁部３０と同じ形状に形成しても良い。
【００５４】
すなわち、図２２（ｂ）に示した仕切部材４１は、その両側を上記実施形態の仕切壁部３０と同じ形状、つまり仕切部材４１の両側はほぼ垂直に形成し、中間部を上記実施形態の仕切部材３１と同じ形状、つまり鍵盤部１の鍵盤４の後端部に沿う立下り板部と、鍵盤４の後部上面４ｂ（つまり鍵４ａの後端部から黒鍵の後部側の突出部４ｃに接近する位置までの上面部分）に沿う水平板部とからなる断面ほぼＬ字形状に形成した構成になっている。このようないずれの構成においても、上記実施形態とほぼ同様の作用効果がある。
【００５５】
なおまた、上記実施形態では、音響空間Ｓをパッキン２３ａ〜２３ｄ、３４によってほぼ完全に密閉した場合について述べたが、必ずしもパッキン２３ａ〜２３ｄ、３４で密閉する必要はなく、例えば仕切部材３１、４１の立下り板部３３ａの下端部に凸部（または凹部）を設け、これに対応する鍵盤シャーシ３の後部上面に凹部（または凸部）を設け、これら凸部と凹部とを密着嵌合させると共に、仕切部材３１、４１の水平板部３３ｂの先端部に凸部（または凹部）を設け、これに対応する上部パネルケース２の前面部２ｃの下部内面に凹部（または凸部）を設け、これら凸部と凹部とを密着嵌合させるように構成しても良い。
【００５６】
このように構成すれば、仕切部材３１、４１の立下り板部３３ａの下端部と鍵盤シャーシ３の後部上面との間、および仕切部材３１、４１の水平板部３３ｂの先端部と上部パネルケース２の前面部２ｃの下部内面との間に、それぞれパッキン３４を設けなくても、仕切部材３１、４１の箇所における鍵盤４の後部上面４ｂの上方に食い込んだ上部パネルケース２内の空間を密閉することができ、これにより音響空間Ｓの気密性を確保することができるので、部品点数の削減をも図ることができる。
【図面の簡単な説明】
【００５７】
【図１】この発明を適用した電子鍵盤楽器の一実施形態を示した平面図である。
【図２】図１のＡ−Ａ矢視における拡大断面図である。
【図３】図１のＢ−Ｂ矢視における拡大断面図である。
【図４】図１のスピーカに対応するカバー部材を取り外した状態を示した上部パネルケースの平面図である。
【図５】図４の上部パネルケースを下側から見た裏面図である。
【図６】図５の上部パネルケースから仕切部材および各種の付属部品を取り外した状態の裏面図である。
【図７】図６の上部パネルケースにおけるスピーカ設置部を示した要部の拡大裏面図である。
【図８】図６の上部パネルケースの中間部分における付属部品の設置部分を示した要部の拡大裏面図である。
【図９】図８の上部パネルケースに付属部品を取り付けた状態における要部の拡大裏面図である。
【図１０】図９の上部パネルケースにおいて付属部品の設置部分にそれぞれ回路基板を取り付けた状態における要部の拡大裏面図である。
【図１１】図１０の上部パネルケースに更に第１、第２パネル回路基板を取り付けた状態における要部の拡大裏面図である。
【図１２】図１０のＣ−Ｃ矢視において上下を反転させて示した要部の拡大断面図である。
【図１３】図１０のＤ−Ｄ矢視において上下を反転させて示した要部の拡大断面図である。
【図１４】図１０のＥ−Ｅ矢視において上下を反転させて示した要部の拡大断面図である。
【図１５】図９のスイッチ部におけるキー釦を拡大して示し、（ａ）はその拡大平面図、（ｂ）はその拡大裏面図である。
【図１６】図１０の各回路基板を示し、（ａ）はスイッチ回路基板を示した拡大裏面図、（ｂ）はボリューム回路基板を示した拡大裏面図、（ｃ）はジャック回路基板を示した拡大裏面図、（ｄ）はコネクタ回路基板を示した拡大裏面図である。
【図１７】図１１の各回路基板を示し、（ａ）は第１パネル回路基板を示した拡大裏面図、（ｂ）は第２パネル回路基板を示した拡大裏面図である。
【図１８】図１０の各設置部と各回路基板との間に配置されるパッキンを拡大して示し、（ａ）はスイッチ設置部に配置されるパッキンを示した拡大平面図、（ｂ）はボリューム設置部に配置されるパッキンを示した拡大平面図、（ｃ）はジャック設置部に配置されるパッキンを示した拡大平面図、（ｄ）はコネクタ設置部に配置されるパッキンを示した拡大平面図である。
【図１９】図５の仕切部における仕切部材を示し、（ａ）はその拡大平面図、（ｂ）はその拡大側面図である。
【図２０】図１９の仕切部材を２つに分割した状態を示した拡大平面図である。
【図２１】この発明の仕切部における仕切部材の第１変形例を示し、（ａ）はその拡大平面図、（ｂ）はその拡大側面図である。
【図２２】この発明の仕切部の第２変形例を示し、（ａ）は図１９と同じ形状の仕切部材を示した平面図、（ｂ）は両側を仕切壁部と同じ形状に形成した仕切部材を示した平面図である。
【符号の説明】
【００５８】
１  鍵盤部
２  上部パネルケース
２ａ  背面部
２ｂ  天板部
２ｃ  前面部
２ｄ  側面部
３  鍵盤シャーシ
４  鍵盤
４ａ  鍵
４ｂ  鍵の後部上面
７  仕切部
１０  スピーカ
１２  スイッチ部
１３  ジャック端子
１４  コネクタ端子
１５  スピーカ設置部
１６  スイッチ設置部
１７  ボリューム設置部
１８  ジャック設置部
１９  コネクタ設置部
２０ａ〜２０ｄ  枠状リブ
２１  キー釦
２２  スイッチ回路基板
２３ａ〜２３ｄ、３４  パッキン
２４、２５  第１、第２パネル回路基板
２６  音量スイッチ
２７  ボリューム回路基板
２８  ジャック回路基板
２９  コネクタ回路基板
３０  仕切壁部
３１、４０、４１  仕切部材
３３  仕切片
Ｓ  音響空間
【図１】
2008304721.tif 000003
【図２】
2008304721.tif 000004
【図３】
2008304721.tif 000005
【図４】
2008304721.tif 000006
【図５】
2008304721.tif 000007
【図６】
2008304721.tif 000008
【図７】
2008304721.tif 000009
【図８】
2008304721.tif 000010
【図９】
2008304721.tif 000011
【図１０】
2008304721.tif 000012
【図１１】
2008304721.tif 000013
【図１２】
2008304721.tif 000014
【図１３】
2008304721.tif 000015
【図１４】
2008304721.tif 000016
【図１５】
2008304721.tif 000017
【図１６】
2008304721.tif 000018
【図１７】
2008304721.tif 000019
【図１８】
2008304721.tif 000020
【図１９】
2008304721.tif 000021
【図２０】
2008304721.tif 000022
【図２１】
2008304721.tif 000023
【図２２】
2008304721.tif 000024